(57)【要約】【課題】主に、接続部材の取付けを簡易化し得るようにする。【解決手段】水下側に位置する第１の屋根葺き材１１と、第１の屋根葺き材１１の水上側に配置される第２の屋根葺き材１２と、第１の屋根葺き材１１の水上側の端部１３と第２の屋根葺き材１２の水下側の端部１４との間を接続する接続部材１５とを備えた屋根構造に関する。  接続部材１５は、第１の屋根葺き材１１の水上側の端部１３周辺、および、第２の屋根葺き材１２の水下側の端部１４周辺に対して表面側から固定可能な屋根固定部１６，１７を有している。【選択図】図１
2020066914.tif 000002
【特許請求の範囲】
【請求項１】
水下側に位置する第１の屋根葺き材と、該第１の屋根葺き材の水上側に配置される第２の屋根葺き材と、前記第１の屋根葺き材の水上側の端部と前記第２の屋根葺き材の水下側の端部との間を接続する接続部材とを備え、該接続部材は、前記第１の屋根葺き材の水上側の端部周辺、および、前記第２の屋根葺き材の水下側の端部周辺に対して表面側から固定可能な屋根固定部を有していることを特徴とする屋根構造。
【請求項２】
前記接続部材は、前記第１の屋根葺き材の上面側に位置されることを特徴とする請求項１に記載の屋根構造。
【請求項３】
前記接続部材は、前記第２の屋根葺き材の下面側に位置されることを特徴とする請求項１または請求項２に記載の屋根構造。
【請求項４】
前記接続部材は、水切部を有していることを特徴とする請求項１ないし請求項３のいずれか１項に記載の屋根構造。
【請求項５】
前記水切部は、前記第１の屋根葺き材の水上側の端部よりも水下側に位置すると共に、前記第１の屋根葺き材の上面に向けて下方へ突出されていることを特徴とする請求項４に記載の屋根構造。
【請求項６】
前記第１の屋根葺き材は、水上側の端部に突出片を有することを特徴とする請求項１ないし請求項５のいずれか１項に記載の屋根構造。
【請求項７】
前記第２の屋根葺き材は、水下側の端部に突出片を有することを特徴とする請求項１ないし請求項６のいずれか１項に記載の屋根構造。
【請求項８】
前記第１の屋根葺き材および前記第２の屋根葺き材は、縦葺き材であることを特徴とする請求項１ないし請求項７のいずれか１項に記載の屋根構造。
【請求項９】
前記第１の屋根葺き材および前記第２の屋根葺き材は、金属製であることを特徴とする請求項１ないし請求項８のいずれか１項に記載の屋根構造。
【発明の詳細な説明】
【技術分野】
【０００１】
この発明は、屋根構造に関するものである。
【背景技術】
【０００２】
住宅などの建物の屋根には、水下側に位置する第１の屋根葺き材と、水上側に位置する第２の屋根葺き材とを、接続金具などで接続したものが存在している（例えば、特許文献１〜３参照）。
【先行技術文献】
【特許文献】
【０００３】
【特許文献１】特開２０１５−２１４８６５号公報
【特許文献２】特開２００１−３３６２５７号公報
【特許文献３】特開２００４−６０２７５号公報
【発明の概要】
【発明が解決しようとする課題】
【０００４】
しかしながら、上記特許文献に記載された接続金具は、例えば、屋根葺き材の裏面側からの取付作業などが必要になるなどによって、取付けに手間がかかっていた。
【０００５】
そこで、本発明は、主に、上記した問題点を解決することを目的としている。
【課題を解決するための手段】
【０００６】
上記課題を解決するために、本発明は、水下側に位置する第１の屋根葺き材と、該第１の屋根葺き材の水上側に配置される第２の屋根葺き材と、前記第１の屋根葺き材の水上側の端部と前記第２の屋根葺き材の水下側の端部との間を接続する接続部材とを備え、該接続部材は、前記第１の屋根葺き材の水上側の端部周辺、および、前記第２の屋根葺き材の水下側の端部周辺に対して表面側から固定可能な屋根固定部を有している屋根構造を特徴とする。
【発明の効果】
【０００７】
本発明によれば、上記構成によって、接続部材の取付けを簡易化することなどができる。
【図面の簡単な説明】
【０００８】
【図１】本実施の形態にかかる屋根構造を備えた住宅などの建物の斜視図である。
【図２】図１の建物の屋根構造のＡ−Ａ線に沿った断面図である。
【図３Ａ】図２の水下側の屋根固定部の部分拡大図である。
【図３Ｂ】図２の水上側の屋根固定部の部分拡大図である。
【図４】バックアップ材の部分的な斜視図である。
【図５】接続部材の部分的な斜視図である。
【図６】ユニット間接続部材の全体斜視図である。
【図７】建築現場での屋根構造の構築手順を示す作業工程図（斜視図）である。
【図８】図７に続く作業工程図（縦断面図）である。
【図９】図８に続く作業工程図（斜視図）である。
【図１０】図９に続く作業工程図（縦断面図）である。
【発明を実施するための形態】
【０００９】
以下、本実施の形態を、図面を用いて詳細に説明する。
【００１０】
図１〜図１０は、この実施の形態を説明するためのものである。
【実施例１】
【００１１】
＜構成＞以下、構成について説明する。
【００１２】
図１は、住宅などの建物１の斜視図である。この建物１は、ユニット建物とされている。ユニット建物は、工場で予め製造した建物ユニット３を建築現場へ搬送して、建築現場で組み立てることにより、短期間のうちに建物１を構築し得るようにしたものである。
【００１３】
そして、ユニット建物には、建物ユニット３によって構成された建物本体４の上に屋根ユニット５を設置することで、屋根６を構成するようにしたものも存在している。この実施例では、屋根６は、傾斜屋根によって構成された片流れ屋根となっている。
【００１４】
以下、ユニット建物の例として説明するが、この実施例の屋根構造を適用可能な建物１は、ユニット建物に限るものではなく、各種の構造の建物１に適用できる。また、この実施例の屋根構造を適用可能な屋根６は、片流れ屋根に限るものではなく、各種の形状の屋根６に適用できる。
【００１５】
そして、この実施例の屋根構造は、以下のような構成を備えることができる。
【００１６】
（１）屋根構造は、水下側に位置する第１の屋根葺き材１１と、第１の屋根葺き材１１の水上側に配置される第２の屋根葺き材１２と、第１の屋根葺き材１１の水上側の端部１３と第２の屋根葺き材１２の水下側の端部１４との間を接続する接続部材１５とを備えたものとされる。そして、図２に示すように、接続部材１５は、第１の屋根葺き材１１の水上側の端部１３周辺、および、第２の屋根葺き材１２の水下側の端部１４周辺に対して表面側から固定可能な屋根固定部１６，１７を有している。
【００１７】
ここで、屋根ユニット５は、屋根枠体２１の上面に野地板などの屋根下地材２２を取り付けて成る屋根パネル２３を上部に有している。第１の屋根葺き材１１と第２の屋根葺き材１２とは、本体部分がほぼ同じ形状にされている。第１の屋根葺き材１１と第２の屋根葺き材１２とは、それぞれ屋根下地材２２の上に防水シートなどを介して設置される。
【００１８】
ユニット建物の場合、第１の屋根葺き材１１や第２の屋根葺き材１２は、工場で予め各屋根ユニット５の上面に取付けられる。この実施例では、第１の屋根葺き材１１と第２の屋根葺き材１２とは、それぞれ別々の屋根ユニット５に取付けられる。第１の屋根葺き材１１を取付けた屋根ユニット５と、第２の屋根葺き材１２を取付けた屋根ユニット５とは、建築現場で、水下側と水上側に位置するように建物本体４に隣接して設置される（水下側屋根ユニット５Ａおよび水上側屋根ユニット５Ｂ）。建物本体４に屋根ユニット５を設置した状態では、第１の屋根葺き材１１の水上側の端部１３と第２の屋根葺き材１２の水下側の端部１４とは、間隔を有して離間される。
【００１９】
そして、接続部材１５は、第１の屋根葺き材１１の水上側の端部１３と第２の屋根葺き材１２の水下側の端部１４との間を塞ぐと共に、第１の屋根葺き材１１と第２の屋根葺き材１２とを繋ぐために用いられる補助的な屋根葺き材（接続用屋根葺き材）である。この実施例では、接続部材１５は、建築現場にて、水下側の屋根ユニット５の第１の屋根葺き材１１と、水上側の屋根ユニット５の第２の屋根葺き材１２との間に、屋根ユニット５の上から（または、第１の屋根葺き材１１や第２の屋根葺き材１２の上面側から）の作業によって設置される。接続部材１５は、水下側の屋根ユニット５の第１の屋根葺き材１１と、水上側の屋根ユニット５の第２の屋根葺き材１２との間に、屋根６の上方から設置される。但し、第１の屋根葺き材１１と第２の屋根葺き材１２を、同じ屋根ユニット５に設置されたものなどとしたり、接続部材１５を工場で取付けるものとしたりすることも可能である。
【００２０】
接続部材１５は、第１の屋根葺き材１１や第２の屋根葺き材１２の幅寸法とほぼ等しい長さとしたり、屋根ユニット５の幅寸法とほぼ等しい長さとしたり、これらの中間の長さとしたりすることができる。この実施例では、接続部材１５は、屋根ユニット５の幅寸法とほぼ等しい長さで横方向（水下側の屋根ユニット５と水上側の屋根ユニット５との合わせ方向）へ延びる長尺材（横葺き材）、または、それよりも短い長尺材などとされている。
【００２１】
そして、後述するように、横方向に隣接する屋根ユニット５の間には、隣接する接続部材１５の端部間を上から覆うように、ユニット間接続部材２４が上方から取付けられる（図１、図６）。ユニット間接続部材２４は、接続部材１５とほぼ同様の側面形状を有している。ユニット間接続部材２４は、接続部材１５よりも横方向に短尺のものとされている。なお、図１では、接続部材１５およびユニット間接続部材２４は、便宜上、設置する位置のみ示している。
【００２２】
第１の屋根葺き材１１の水上側の端部１３周辺とは、第１の屋根葺き材１１の水上側の端部１３および端部１３の周辺部分のことである。また、第２の屋根葺き材１２の水下側の端部１４周辺とは、第２の屋根葺き材１２の水下側の端部１４および端部１４の周辺部分のことである。
【００２３】
屋根固定部１６，１７は、接続部材１５を第１の屋根葺き材１１と第２の屋根葺き材１２とに対してそれぞれ固定するために接続部材１５に設けられた部分である。屋根固定部１６，１７の固定には、ネジやリベットなどの固定具２５，２６が適宜用いられる。ネジやリベットなどの固定具２５，２６は、共に、上方から取付けられるようにするのが好ましい。これに対し、第１の屋根葺き材１１の水上側の端部１３周辺や第２の屋根葺き材１２の水下側の端部１４周辺には、屋根固定部１６，１７に対するものとして、接続部材１５を固定するための接続部材固定部が設けられる。
【００２４】
なお、図２では、第１の屋根葺き材１１の水上側の端部１３における、屋根固定部１６よりも水下側の位置には、雪止金具２７などが設置されている。雪止金具２７は、建築現場で適宜取付けられる。
【００２５】
（２）接続部材１５は、第１の屋根葺き材１１の上面１１ａ側に位置されても良い（図３Ａも併せて参照）。
【００２６】
ここで、第１の屋根葺き材１１の上面１１ａ側に位置されるとは、接続部材１５の水下側の端部１５ａ（の屋根固定部１６）が、第１の屋根葺き材１１の上面１１ａよりも上層に位置するような位置関係を有して取付けられることである。
【００２７】
この実施例では、接続部材１５の水下側の端部１５ａは、第１の屋根葺き材１１の水上側の端部１３または端部１３周辺に対して上に重ねられた状態で設置される。この際、接続部材１５の水下側の端部１５ａは、屋根６の上側での作業によって、第１の屋根葺き材１１の水上側の端部１３または端部１３周辺に対し上方から載置するように設置されて上方から取付けられるようになっている。なお、第１の屋根葺き材１１の水上側の端部１３の構造については後述する。
【００２８】
（３）接続部材１５は、第２の屋根葺き材１２の下面１２ｂ側に位置されても良い（図３Ｂも併せて参照）。
【００２９】
ここで、第２の屋根葺き材１２の下面１２ｂ側に位置されるとは、接続部材１５の水上側の端部１５ｂ（の屋根固定部１６）が、第２の屋根葺き材１２の下面１２ｂよりも下層に位置するような位置関係を有して取付けられることである。
【００３０】
この実施例では、接続部材１５の水上側の端部１５ｂは、第２の屋根葺き材１２の水下側の端部１４または端部１４周辺に対して下側へ入り込んだ状態で設置される。この際、接続部材１５の水上側の端部１５ｂは、屋根６の上側での作業によって、第２の屋根葺き材１２の水下側の端部１４または端部１４周辺に対し水下側から差し込むようにして取付けられるようになっている。第２の屋根葺き材１２の水下側の端部１４の構造については後述する。
【００３１】
そして、屋根６の上側での作業によって、接続部材１５の水下側の端部１５ａが、第１の屋根葺き材１１の上面１１ａよりも上側に設置され、水上側の端部１５ｂが第２の屋根葺き材１２の水下側の端部１４の下面１２ｂよりも下側に設置され得るようにするために、接続部材１５は、以下のような側面形状とされている。
【００３２】
即ち、接続部材１５は、水下側の端部１５ａと水上側の端部１５ｂとの間に、屋根面に設置したときに、屋根面よりも緩い勾配となる傾斜面部１５ｃを有している。傾斜面部１５ｃは、傾斜した屋根面（例えば、屋根下地材２２の上面など）に対し、第２の屋根葺き材１２の水下側の端部１４の位置から第１の屋根葺き材１１の水上側の端部１３へ向かって傾斜される。
【００３３】
なお、傾斜面部１５ｃの裏面と屋根面との間には、三角形状の空間が形成されるが、この空間は、そのまま残しておいても良いし、バックアップ材３１（図４）などを設置しても良い。この実施例では、バックアップ材３１を設置している。バックアップ材３１は、三角形状の空間に合わせた大きさおよび形状を有する側面視ほぼ三角形状のものとされて、建築現場で設置される。バックアップ材３１は、スチレンフォームなどの断熱材で形成しても良い。
【００３４】
（４）図５に示すように、接続部材１５は、水切部４１を有しても良い。
【００３５】
ここで、水切部４１は、雨水などの水切りを行うための部分のことである。水切部４１は、接続部材１５の水下側の端部１５ａまたはその近傍の位置に設けられる。
【００３６】
（５）図３Ａに示すように、水切部４１は、第１の屋根葺き材１１の水上側の端部１３よりも水下側に位置しても良い。また、水切部４１は、第１の屋根葺き材１１の上面１１ａに向けて下方へ突出されても良い。
【００３７】
ここで、水切部４１は、接続部材１５の水下側の端部１５ａ周辺の裏面側から突設された突出部とされている。水切部４１は、接続部材１５の全長に亘って連続して延びるものとしても良いし、不連続のものとしても良い。例えば、水切部４１は、第１の屋根葺き材１１などと干渉する部分を切り欠くことで不連続のものにすることができる。水切部４１は、屋根面などに対してほぼ垂直に設けられる。
【００３８】
（６）第１の屋根葺き材１１は、水上側の端部１３に突出片５１を有しても良い。
【００３９】
ここで、突出片５１は、接続部材１５の水下側の端部１５ａ（の屋根固定部１６）に対する取付部などとして設けられるものなどとされる。突出片５１は、屋根固定部１６を上方から載置するのに適した受け形状とするのが好ましい。
【００４０】
突出片５１は、第１の屋根葺き材１１の水上側の端部１３を上方へ屈曲することで、第１の屋根葺き材１１と一体に形成されている。
【００４１】
突出片５１は、第１の屋根葺き材１１の水上側の端部１３に形成された屈曲部を有しており、この屈曲部は、屋根面（屋根下地材２２など）に対してほぼ面直上方へ向かうものとされる。
【００４２】
突出片５１は、上端部に水下側へ向けて形成された平行部５２を有しても良い。平行部５２は、屋根面とほぼ平行な向きに屈曲形成される。平行部５２は、第１の屋根葺き材１１の幅方向に対し連続して設けても良いし、部分的に（または不連続に）設けても良い。
【００４３】
そして、突出片５１と平行部５２は、接続部材１５の水上側の端部１５ｂと同様に、屋根６の上側での作業によって、水下側から差し込むように取付けるための形状（差込部）などとされている。
【００４４】
この突出片５１や平行部５２は、屋根下地材２２にネジなどの固定具５３で固定された水上受鋼板５４によって、屋根下地材２２に係止保持されている。この水上受鋼板５４は、第１の屋根葺き材１１の水上側の端部１３よりも水上側に設置されて、屋根下地材２２に第１の屋根葺き材１１を取付ける際に、第１の屋根葺き材１１の水上側の端部１３を、水下側から差し込むことで、第１の屋根葺き材１１の水上側の端部１３の位置決めおよび係止保持を行うようになっている。
【００４５】
水上受鋼板５４は、屋根下地材２２に対する取付面部５４ａと、取付面部５４ａの水下側の端部からほぼ面直に立上がる縦面部５４ｂと、縦面部５４ｂの上端部から平行部５２と平行に水下側へ延びる横面部５４ｃとを有する、側面視ほぼＺ型の部材などとされている。
【００４６】
そして、水上受鋼板５４の縦面部５４ｂと横面部５４ｃとが、第１の屋根葺き材１１の水上側の端部１３の突出片５１や平行部５２の、水下側からの差し込みを受ける受部になると共に、水上受鋼板５４の横面部５４ｃの上面が、接続部材１５の水下側の端部１５ａ（屋根固定部１６）に対する、水下側の接続部材固定部になる。
【００４７】
これに対し、接続部材１５の水下側の端部１５ａは、水上受鋼板５４の横面部５４ｃの上面に対し上方から載置され当接される当接面部とされている。この当接面部は、傾斜面部１５ｃに対して屋根下地材２２とほぼ平行な向きに屈曲形成されている。また、上記した水切部４１は、接続部材１５の水下側の端部１５ａを側面視ほぼＴ字状に折り曲げることなどによって形成されている。水切部４１は、横面部５４ｃや平行部５２よりも水下側に位置される。
【００４８】
そして、接続部材１５の水下側の端部１５ａと、水上受鋼板５４の横面部５４ｃと、第１の屋根葺き材１１の水上側の端部１３の平行部５２とは、順番に上下に重ねられた状態で、ネジなどの固定具２５によって、上方から共締め状態で一体に固定される。
【００４９】
（７）図３Ｂに示すように、第２の屋根葺き材１２は、水下側の端部１４に突出片６１を有しても良い。
【００５０】
ここで、突出片６１は、接続部材１５の水上側の端部１５ｂ（の屋根固定部１７）に対する取付部などとして設けられるものなどとされる。突出片６１は、屋根固定部１７の水下側からの差し込みを受けるものとするのが好ましい。
【００５１】
突出片６１は、第２の屋根葺き材１２の水下側の端部１４を上側へ屈曲することで、第２の屋根葺き材１２と一体に形成される。または、突出片６１は、第２の屋根葺き材１２とは別部材で設けて、第２の屋根葺き材１２の水下側の端部１４に固定するようにしても良い。
【００５２】
突出片６１は、第２の屋根葺き材１２の水下側の端部１４に形成された屈曲部を有しており、この屈曲部は、水下側へ向けて屋根面（屋根下地材２２）よりも緩い勾配で下るように屈曲したものとされる。
【００５３】
突出片６１は、下端部に水下側へ向けて形成された平行部６２を有しても良い。平行部６２は、屋根面とほぼ平行な向きに屈曲形成される。平行部６２の水下側の端部には、屋根面へ向けてほぼ面直下方へ延びる下方屈曲部６３などを設けても良い。この下方屈曲部６３は、水切り部や、接続部材１５の水上側の端部１５ｂに対する係止部などとして機能することができる。
【００５４】
そして、突出片６１と平行部６２は、接続部材１５の水下側の端部１５ａと同様に、屋根６の上側での作業によって、水下側からの差し込みを受けるための形状（受部）などとされている。
【００５５】
この突出片６１や平行部６２は、屋根下地材２２にネジなどの固定具６４で固定された水下受鋼板６５によって、下面１２ｂ側を屋根下地材２２に支持されている。この水下受鋼板６５は、第２の屋根葺き材１２の水下側の端部１４の位置に設置されて、屋根下地材２２に第２の屋根葺き材１２を取付ける際に、第２の屋根葺き材１２の水下側の端部１４を下側から受けるようになっている。また、水下受鋼板６５は、接続部材１５の水上側の端部１５ｂよりも水上側に設置されて、接続部材１５を取付ける際に、接続部材１５の水上側の端部１５ｂを、水下側から差し込むことで、接続部材１５の水上側の端部１５ｂの位置決めおよび係止保持を行うようになっている。
【００５６】
水下受鋼板６５は、水上受鋼板５４とほぼ同様の形状をしており、屋根下地材２２に対する取付面部６５ａと、取付面部６５ａの水下側の端部からほぼ面直に立上がる縦面部６５ｂと、縦面部６５ｂの上端部から平行部６２と平行に水下側へ延びる横面部６５ｃとを有する、側面視ほぼＺ型の部材などとされている。取付面部６５ａは、突出片６１の下方に位置するように屋根下地材２２に固定される。
【００５７】
そして、水下受鋼板６５の縦面部６５ｂと横面部６５ｃとが、接続部材１５の水上側の端部１５ｂの立上部６７や平行部６８の、水下側からの差し込みを受ける受部になる。即ち、接続部材１５の水上側の屋根固定部１７に対する水上側の接続部材固定部になる。また、水下受鋼板６５の横面部６５ｃの上面が、第２の屋根葺き材１２の水下側の端部１４の平行部６２を下から受ける受部となる。
【００５８】
これに対し、接続部材１５の水上側の端部１５ｂは、第１の屋根葺き材１１の水上側の端部１３とほぼ同様の形状とされており、屋根ユニット５の上部からの作業によって、第２の屋根葺き材１２の水下側の端部１４または端部１４周辺に対し水下側から差し込むようにして設置される差込部などとなっている。そのために、接続部材１５の水上側の端部１５ｂは、屋根下地材２２の上面に当接される接地部６６と、接地部６６の先端部から面直上方へ向かう立上部６７と、立上部６７の上端部から水下側へ向けて延びる平行部６８とを有している。
【００５９】
接地部６６は、バックアップ材３１の先端部よりも水上側となる位置に形成される。接地部６６は、平行部６８とほぼ同じ大きさなどとされる。立上部６７は、水下受鋼板６５の縦面部６５ｂの水下側に位置して、縦面部６５ｂよりも若干低い高さとされる。平行部６８は、水下受鋼板６５の横面部６５ｃよりも下側に位置して、横面部６５ｃよりも若干短く形成される。接地部６６と立上部６７と平行部６８は、接続部材１５の水上側の端部１５ｂを屈曲することなどによって形成されている。
【００６０】
そして、第２の屋根葺き材１２の水下側の端部１４の平行部６２と、水下受鋼板６５の横面部６５ｃと、接続部材１５の水上側の端部１５ｂの平行部６８とは、順番に上下に重ねられた状態でネジなどの固定具２６によって、上方から共締め状態で一体に固定される。
【００６１】
（８）図７（図８）に示すように、第１の屋根葺き材１１および第２の屋根葺き材１２は、縦葺き材７１としても良い。
【００６２】
ここで、縦葺き材７１は、屋根６の傾斜に沿って水上側から水下側へ延びる帯状の長尺材のことである。ユニット建物の場合、縦葺き材７１は、屋根ユニット５の屋根面（屋根下地材２２など）の傾斜方向のほぼ全長に亘る長さのものや、それよりも長いものまたは短いものなどとすることができる。
【００６３】
なお、第１の屋根葺き材１１の水上側の端部１３は、第１の屋根葺き材１１が取付けられている屋根ユニット５の屋根下地材２２の水上側の端部よりも、接続部材１５などを設置するのに必要な分だけ短く形成される。また、第２の屋根葺き材１２の水下側の端部１４は、第２の屋根葺き材１２が取付けられている屋根ユニット５の屋根下地材２２の水下側の端部よりも、接続部材１５などを設置するのに必要な分だけ短く形成される。
【００６４】
そして、縦葺き材７１は、屋根面に対し、横方向に並べて配置される。横方向に隣接する縦葺き材７１の側面間は、図示しない屋根継材などを用いて継がれると共に、屋根継材による継部分は目地カバー部材７５によって覆われている。突出片５１や突出片６１は、目地カバー部材７５よりも高く形成される。
【００６５】
異なる屋根ユニット５に設置された第１の屋根葺き材１１と第２の屋根葺き材１２とは、互いに横方向の位置を揃えて設置することで、屋根ユニット５を組み立てたときに、屋根６の傾斜方向に連続した状態となるようにするのが好ましい。
【００６６】
（９）第１の屋根葺き材１１および第２の屋根葺き材１２は、金属製としても良い。
【００６７】
ここで、金属製の第１の屋根葺き材１１および第２の屋根葺き材１２は、どのような材料で形成しても良いが、例えば、フッ素鋼板や塩ビ鋼板やその他の耐水性を有する金属板（耐水鋼板８１）などによって形成するのが好ましい。第１の屋根葺き材１１と第２の屋根葺き材１２は、互いに同じ材質の耐水鋼板８１で形成するのが好ましい。
【００６８】
また、接続部材１５やユニット間接続部材２４についても、第１の屋根葺き材１１および第２の屋根葺き材１２と同じく金属製のものとすることができる。接続部材１５やユニット間接続部材２４も、第１の屋根葺き材１１および第２の屋根葺き材１２と同様に、どのような材料で形成しても良いが、例えば、フッ素鋼板や塩ビ鋼板やその他の耐水性を有する耐水鋼板８１などによって形成するのが好ましい。接続部材１５やユニット間接続部材２４も、第１の屋根葺き材１１および第２の屋根葺き材１２と同じく、互いに同じ材質の耐水鋼板８１で形成するのが好ましい。
【００６９】
なお、図６に示すように、上記したユニット間接続部材２４は、接続部材１５と同様に、水下側の端部２４ａと、水上側の端部２４ｂと、傾斜面部２４ｃとを有するものとなっており、水下側の端部２４ａには、水切部４１ａが形成され、水上側の端部２４ｂには、接地部６６ａや立上部６７ａや平行部６８ａが形成されている。
【００７０】
ユニット間接続部材２４を隣接する接続部材１５の間に上から重ねて取付けられるようにするために、水切部４１ａは、接続部材１５の水切部４１よりも水下側の位置に干渉しないように形成されている。また、接地部６６ａや立上部６７ａや平行部６８ａは、内側に差し込めるように、接続部材１５の接地部６６や立上部６７や平行部６８よりも若干小さく形成されている。ユニット間接続部材２４は、図９、図１０に示すようにして、屋根ユニット５の上側からの作業によって、隣接する接続部材１５間に、上方から設置され上方から固定される。
【００７１】
＜作用＞以下、この実施例の作用について説明する。
【００７２】
建物本体４の上部に設置された水下側の屋根ユニット５の第１の屋根葺き材１１と、水上側の屋根ユニット５の第２の屋根葺き材１２とを接続部材１５で接続する場合、まず、図７に示すように、第１の屋根葺き材１１の水上側の端部１３と、第２の屋根葺き材１２の水下側の端部１４との間の位置に、バックアップ材３１を設置する。バックアップ材３１は、水下側の端部を水上受鋼板５４に当てるようにして設置する。
【００７３】
次に、接続部材１５を、第１の屋根葺き材１１の水上側の端部１３と、第２の屋根葺き材１２の水下側の端部１４との間の位置に設置する。この際、接続部材１５は、水上側の端部１５ｂを、第２の屋根葺き材１２の水下側の端部１４、および、水下受鋼板６５に、水下側から差し込むようにして設置する。また、接続部材１５は、水上側の端部１５ａを、第１の屋根葺き材１１の水上側の端部１３、および水上受鋼板５４の上に載置する。
【００７４】
そして、図８に示すように、接続部材１５の水上側の端部１５ｂの屋根固定部１７をリベットなどの固定具２６で上方から第２の屋根葺き材１２の水下側の端部１４、および、水下受鋼板６５に固定する。
【００７５】
次に、図９に示すように、隣接する接続部材１５の端部間に、上から変性シリコーンなどのコーキング材９１による連続したコーキングを施す。そして、図１０に示すように、隣接する接続部材１５の端部間に、接続部材１５と同様にして、ユニット間接続部材２４を上方から屋根ユニット５間に跨るように設置し、リベットなどの固定具２６で上方から水上側の端部２４ｂや水下側の端部２４ａなどを接続部材１５などに取付ける。
【００７６】
最後に、ネジなどの固定具２５を用いて、接続部材１５の水下側の端部１５ａや、ユニット間接続部材２４の水下側の端部２４ａなどを第１の屋根葺き材１１の水上側の端部１３、および、水上受鋼板５４に上方から固定する。
【００７７】
以上により、屋根６の上側からの作業によって、第１の屋根葺き材１１と第２の屋根葺き材１２とが接続部材１５で接続される。
【００７８】
＜効果＞この実施例によれば、以下のような効果を得ることができる。
【００７９】
（効果 １）第１の屋根葺き材１１と第２の屋根葺き材１２とを接続部材１５で接続しても良い。これにより、接続部材１５が、接続用屋根葺き材になるため、第１の屋根葺き材１１の水上側の端部１３と第２の屋根葺き材１２の水下側の端部１４とを接続部材１５で容易に繋ぐことができる。
【００８０】
この際、接続部材１５が、屋根固定部１６，１７を有することで、第１の屋根葺き材１１の水上側の端部１３周辺、および、第２の縦葺き材７１の水下側の端部周辺を、屋根固定部１６，１７によって表面側（上側）から固定することなどが可能になる。これによって、第１の屋根葺き材１１と第２の屋根葺き材１２との間の接続構造を簡易化して、接続部材１５を簡単、確実に取付けることが可能になる。
【００８１】
（効果 ２）接続部材１５は、第１の屋根葺き材１１の上面１１ａ側に位置されても良い。これにより、接続部材１５の雨水を第１の屋根葺き材１１の上面１１ａ側へと導くことができる。よって、第１の屋根葺き材１１の下側に雨水が入り込むことを防止できる。
【００８２】
（効果 ３）接続部材１５は、第２の縦葺き材７１の下面側に位置されても良い。これにより、第２の屋根葺き材１２の雨水を接続部材１５の上面側へと導くことができる。よって、接続部材１５の下側に雨水が入り込むことを防止できる。
【００８３】
（効果 ４）接続部材１５は、水切部４１を有しても良い。これにより、接続部材１５の雨水を、水切部４１によって水切りすることができる。
【００８４】
（効果 ５）水切部４１は、第１の屋根葺き材１１の水上側の端部１３よりも水下側の位置に設置しても良い。これにより、接続部材１５に付着した雨水を、水切部４１によって、第１の屋根葺き材１１の水上側の端部１３よりも水下側の位置で水切りすることができる。また、水切部４１は、第１の屋根葺き材１１の上面１１ａに向けて下方へ突出されても良い。これにより、接続部材１５に付着した雨水を、水切部４１によって、第１の屋根葺き材１１の上面１１ａで水切りすることができる。そのため、水切部４１で水切りされた雨水が第１の屋根葺き材１１の下側へ入り込むことを防止できる。
【００８５】
（効果 ６）第１の屋根葺き材１１は、水上側の端部に突出片５１を有しても良い。これにより、突出片５１に接続部材１５の水下側の端部１５ａを上から載せて上方から固定することができるようになり、接続部材１５を取付ける作業を容易化することができる。
【００８６】
（効果 ７）第２の屋根葺き材１２は、水下側の端部１４に突出片６１を有しても良い。これにより、突出片６１に接続部材１５の水上側の端部１５ｂを水下側から差し込んで上方から固定することができるようになり、接続部材１５を取付ける作業を容易化することができる。
【００８７】
（効果 ８）第１の屋根葺き材１１および第２の縦葺き材７１は、縦葺き材７１としても良い。これにより、第１の屋根葺き材１１と第２の縦葺き材７１とを、接続部材１５を介して、水上側から水下側に沿って連続した見栄えの良いものとすることができる。また、雨水を第１の屋根葺き材１１から接続部材１５を介して第２の屋根葺き材１２へと連続的に流下させることができる。
【００８８】
（効果 ９）第１の屋根葺き材１１および第２の屋根葺き材１２は、金属製としても良い。これにより、第１の屋根葺き材１１および第２の屋根葺き材１２に高い耐水性や耐久性を持たせることができる。
【符号の説明】
【００８９】
１１    第１の屋根葺き材
１１ａ  上面
１２    第２の屋根葺き材
１２ｂ  下面
１３    水上側の端部
１４    水下側の端部
１５    接続部材
１６    屋根固定部
１７    屋根固定部
４１    水切部
５１    突出片
６１    突出片
７１    縦葺き材
８１    耐水鋼板
【図１】
2020066914.tif 000003
【図２】
2020066914.tif 000004
【図３Ａ】
2020066914.tif 000005
【図３Ｂ】
2020066914.tif 000006
【図４】
2020066914.tif 000007
【図５】
2020066914.tif 000008
【図６】
2020066914.tif 000009
【図７】
2020066914.tif 000010
【図８】
2020066914.tif 000011
【図９】
2020066914.tif 000012
【図１０】
2020066914.tif 000013